(57)【要約】【課題】観音扉の耐水性や耐久性を図るとともに外壁面を平滑な構成とし、更に広告シートの展張を容易にした観音扉装置を提供するものである。【解決手段】トラック１の左右の観音扉１０，１１は、アルミ製等の枠組体３０と、この枠組体の外壁面に貼着した外壁板と、内壁面に貼着した内壁板とからなり、上記左右扉１０，１１は、左右枠組体３０の外縁上下幅全長に設けた可動ヒンジ１５，１７と、荷物室３の後部開口枠３Ｂにおける左右縁の上下に設けた固定ヒンジ１９との間でヒンジ連結され、上記左右の枠組体の内縁上下部間の内部に連通させた施錠棒２０，２１は、荷物室後部３Ｂにおける中央下部Ｃに設けた施錠手段２５により荷物室３の中央上部Ｄに設けた掛止具２７，２９に係脱される。【選択図】    図１
2004203301.tif 000002
【特許請求の範囲】
【請求項１】
トラックの荷物室後部に設けられた観音扉装置であって、左右の観音扉は、アルミ製等の軽量型材で四角形状に形成した枠組体と、この枠組体の外壁面に貼着した外壁板と、内壁面に貼着した内壁板とからなり、上記左右扉は、左右枠組体の外縁上下幅全長に設けた可動ヒンジと、荷物室の後部開口枠における左右縁に設けた固定ヒンジとの間でヒンジ連結され、上記左右の枠組体の内縁上下部間の内部に連通させた施錠棒は、荷物室後部の中央下部に設けた施錠手段により荷物室の中央上部に設けた掛止具に係脱される構成としたことを特徴とするトラック後部の観音扉装置。
【請求項２】
上記枠組体の内壁面にアルミ型板を配置したことを特徴とする請求項１記載のトラック後部の観音扉装置。
【請求項３】
上記左右の枠組体の任意一辺の外壁側に引掛開口筒体を付設し、上記左右の枠組体の他の三辺の外壁側に多段引掛片体を付設し、広告手段の一辺に付設した係止芯棒を上記引掛開口筒体に挿入係止させ、広告手段の他の三辺に付設した係止片を、上記枠組体の三辺に設けた多段引掛片体に展張させた状態に係止させることを特徴とする請求項１または２記載のトラック後部の観音扉装置。
【発明の詳細な説明】
【０００１】
【発明の属する技術分野】
本発明は、トラック荷台の荷物室における後部に取付けられている観音扉装置に係り、特に、扉の耐水性と耐久性とを向上させるとともに、壁面を平滑な構成として美観も向上させたものに関する。
【０００２】
【従来の技術】
従来から、トラックの荷台には、積載物を雨や埃等から保護するために、ハード幌の荷物室が載せられている。この荷物室の開口後部には、観音扉が左右二枚又は三枚構成で設けられていて、左右両端のヒンジにより二枚又は三枚の扉の合わせ部を施錠装置により閉塞するとともに、これで開閉操作する観音扉装置の構成になっている。上記観音扉は、常には、施錠手段により、閉塞されていて荷物の積み卸しの際に、開口される観音扉装置が一般的に広く知られている。「公知文献無し」
【０００３】
上記荷物室後部に設けた観音扉の断面構造は、鉄板又はアルミ板の外壁板と、芯材となる木製のベニヤ板と、鉄板又はアルミ板の内壁板とからなるサンドイッチ構造になっている。この扉の芯材となるベニヤ板には、雨水等が侵入し易いとともに、一旦吸収した水の保水性があるため、早期に腐らせて破損してしまう。そこで、外壁板や内壁板に排水用・乾燥用の孔をあけると、周りのパッキン中の木部に雨水等が一層多量に侵入してしまう。この水は蒸発せず、中のベニヤ板を腐らせてしまうという問題がある。「公知文献無し」
【０００４】
他方、最近では、上記荷物室の左右側壁面に、広告文字や絵をペイントしたり、広告シートや広告パネルを展張させ、走行するトラックによる広告効果を発揮させている。広告シート等の具体的な取付け構成は、車体の荷物室の左右側壁体に枠を設け、この枠の内側を窪ませて空間を設け、広告媒体を表示したシートの縁を上記枠に固定して該シートを展張してあるとともに、このシートの内側空間に光源を設けてある。これにより、夜間に車両を走行させた場合においても、昼間と同様に表示した広告媒体を視認できるものが提供されている。「例えば、特許文献１」
【０００５】
【特許文献１】
特開２００１−２８７６００号公報の段落〔０００４〕及び図４に記載。
【０００６】
上記トラック荷台の荷物室の左右側壁面に、広告シートや広告パネルを展張させたものでは、平坦な左右側面には、容易に貼り付けことができる。しかし、荷物室の内側を窪ませて空間を形成させるため、荷物室の内部空間を狭くさせている。また、上記荷物室後部には、図示されていないが、一般的に、施錠手段及び開閉操作手段が外壁面から突出しているから、美観が好ましくない。更に、広告シートや広告パネルを展張させることが容易ではない。その取付けには、上記施錠手段及び開閉操作手段をクリアさせるための枠組体を左右の観音扉に突出させた状態に取付け、この枠組体の外側面に広告シート等の取付手段を設けるという複雑な構成になる。これにより、広告シート等が荷物室後部から大きく突出する形態となり、実施上において多くの問題がある。
【０００７】
そこで、上記荷物室後部の観音扉において、その外壁面から突出して設けられている施錠手段をカバー部材で覆って平坦面とし、閉操作手段を観音扉の下方位置に配置する実施形態が考えられる。「例えば、特許文献２」
【０００８】
【特許文献２】
実開平５−３５４２４号公報の段落〔０００６〕及び図２に記載。
【０００９】
しかしながら、上記のように、観音扉の外表面に取付けられた施錠手段をカバー部材で覆って平坦面とする方法では、カバー部材が扉の外側に大きく突出すること、カバー部材は完全な平坦面にならず、広告シールの貼着がカバー部材の曲面に沿って貼られるから、歪んで見えること、更に、広告シートによる展張手段が開示されておらず、その展張方法が不明であること、そして、何よりも観音扉の防水性・耐水性等の解決手段が示されていない。
【００１０】
【発明が解決しようとする課題】
本発明は、上記トラックにおいて、荷物室後部に設けた観音扉装置の問題点に鑑みてなされたもので、扉の耐水性や耐久性を図るとともに、外壁面を平滑な構成として美観を向上させ、併せて広告シートの展張を容易にした観音扉装置を提供するものである。
【００１１】
【課題を解決するための手段】
上記目的を達成すべく、本発明の請求項１記載のトラック後部の観音扉装置は、トラックの荷物室後部に設けられた観音扉装置であって、トラックの荷物室後部に設けられた観音扉装置であって、左右の観音扉は、アルミ製等の軽量型材で四角形状に形成した枠組体と、この枠組体の外壁面に貼着した外壁板と、内壁面に貼着した内壁板とからなり、上記左右扉は、左右枠組体の外縁上下幅全長に設けた可動ヒンジと、荷物室の後部開口枠における左右縁に設けた固定ヒンジとの間でヒンジ連結され、上記左右の枠組体の内縁上下部間の内部に連通させた施錠棒は、荷物室後部の中央下部に設けた施錠手段により荷物室の中央上部に設けた掛止具に係脱される構成としたことを特徴とするものである。
【００１２】
請求項２記載のトラック後部の観音扉装置は、請求項１記載のトラック後部の観音扉装置において、上記枠組体の内壁面にアルミ型板を配置したことを特徴とするものである。
【００１３】
請求項３記載のトラック後部の観音扉装置は、請求項１または２記載のトラック後部の観音扉装置において、上記左右の枠組体の任意一辺の外壁側に引掛開口筒体を付設し、上記左右の枠組体の他の三辺の外壁側に多段引掛片体を付設し、広告手段の一辺に付設した係止芯棒を上記引掛開口筒体に挿入係止させ、広告手段の他の三辺に付設した係止片を、上記枠組体の三辺に設けた多段引掛片体に展張させた状態に係止させることを特徴とするものである。
【００１４】
【作用】
請求項１によると、各観音扉の内部となる枠組体の内側に、外壁板と内壁板との内部に空間が形成されているから、水が内部に侵入しても芯材としてベニヤ板を使用していないから、水が抜けてしまうし、通気性にも優れてこの内部空間が乾燥し易い。そして、観音扉の表面全体が平坦面であり、施錠手段も扉から外れた荷物室の低部に配置されているから、観音扉の美観にも優れている。また、上記観音扉の平坦面への広告手段となる広告シートの展張が容易に行えるし、この広告シートの張付けにより、外壁板無しの広告シートのみの構成とすることもできる。
【００１５】
請求項２によると、観音扉は、その枠組体の内壁面にアルミ型板を配置したから、扉の強度アップと防水性・耐久性の向上、軽量化が図られる。
【００１６】
請求項３によると、広告手段となる広告シートの一辺に付設した係止芯棒を、枠組体の一辺に付設した引掛開口筒体に挿入係止させ、広告シートの他の三辺に付設した係止片を、枠組体の他の三辺に設けた多段引掛片体の一つに展張させた状態に係止させられるから、広告シートが観音扉の外側に突出させることなく、平面状態のもとに、簡潔且つ確実に展張させることができる。
【００１７】
【発明の実施の形態】
以下、図１〜図１３を参照し、本発明トラック後部の観音扉装置１００の実施形態について説明する。まず、観音扉装置１００の概要から説明する。図１に示すトラック１は、例えば大型トラックで、荷台１Ａには立方体の荷物室３が搭載されている。この荷物室は、外壁がアルミ製又は鉄板製等の外壁板３Ｘによって形成され、内側壁にはベニア板やアルミ板等の内壁板３Ｙが貼られている。上記荷物室３の後部３Ａには、例えば二枚構成の観音扉１０，１１が取付けられている。この二枚構成の観音扉１０，１１は、その左右外縁の上下全長にわたって付設した可動ヒンジ１５，１７を、荷物室３の後部開口枠３Ｂにおける左右縁３Ｃ，３Ｄの上部Ａと下部Ｂの端面部に取付けた固定ヒンジ１９，１９との間でヒンジ連結されている。尚、上記可動ヒンジ１５，１７に対する固定固定ヒンジ１９，１９の取付位置は、可動ヒンジ１５，１７の中腹部付近の上下位置であっても良い、この場合は、可動ヒンジ１５，１７の中腹部付近の上下位置にスリットを設けて固定固定ヒンジ１９，１９を係入させる関係とする。上記左右の観音扉１０，１１は、その内縁の上下部間の内部に施錠棒２０，２１が埋設された形態に連通されている。そして、観音扉１０，１１は、荷物室後部３Ａの開口枠３Ｂにおける中央下部Ｃに設けた施錠手段２５により、この位置や荷物室３の中央上部Ｄに設けた掛止具２７，２９に係脱される構成となっている。
【００１８】
続いて、上記観音扉装置１００の詳細構成を、図２〜図１３により説明する。先ず、上記左右の観音扉１０，１１は、アルミ製の軽量型材で四角形状に形成した枠組体３０と、この枠組体３０の外壁面３０Ａに貼着した外壁板「フイルムシート又はアルミ板とベニヤ板とアルミ板の三層板材」５と、内壁面３０Ｂに貼着した内壁板「例えば、プラスチックシートとアルミ板の積層板」７とからなる。勿論、上記外壁板５と内壁板７とは、防水性の高いシート材や板材ならば、その材質を問わず、何でも使用可能である。上記枠組体３０は、左右の垂直型材３１，３２と、上下の水平型材３３，３４とからなる。上記垂直型材３１，３２と水平型材３３，３４は、軽量化と強度化のために、内部空間Ｓを複数のリブＲで仕切った構造になっている。
【００１９】
上記左右の観音扉１０，１１は、左右枠組体３０の外縁の垂直型材３１，３１に、上下幅全長にわたって可動ヒンジ１５，１７が外壁面３０Ａから外側に向けて一体構成で設けられている。一方、荷物室３の後部開口枠３Ｂには、その左右縁３Ｃ，３Ｄの上部Ａと下部Ｂに固定ヒンジ１７，１９が荷物室の後方に向けてボルトで付設されている。勿論、溶着でも良い。この固定ヒンジ１９，１９には、上記可動ヒンジ１５，１７が支持ピンＰを介してヒンジ連結されている。上記ヒンジ連結により、上記左右の観音扉１０，１１は、図３に示すように、実線の閉塞状態から荷物室３の左右側壁面に接近する破線示の全開位置まで旋回動できる構成になっている。
【００２０】
また、上記左右の観音扉１０，１１は、左右枠組体３０の内縁の垂直型材３２，３２には、この上下部間の内部に施錠棒２０，２１を連通させるための軸受孔３２Ａ，３２Ａが設けられている。この構成は、垂直型材３２，３２を前部材３２Ｂと後部材３２Ｃとにニ分割させるとともに、その接合面に半円凹部３２Ｄ，３２Ｅを設ける。この前部材３２Ｂと後部材３２ＣとをボルトＢＴで連結固着することで、１つの垂直型材３２と、この内部に長手方向に貫通する軸受孔３２Ａ，３２Ａが形成される。しかして、上記左右枠組体３０の内縁の垂直型材３２，３２の軸受孔３２Ａ，３２Ａに連通させた施錠棒２０，２１は、コンテナ後部３Ａの開口枠３Ｂにおける中央下部Ｃに設けた施錠手段２５による旋回操作により、荷物室３の中央上部Ｄに設けた掛止具２７，２９や中央下部Ｃに設けた掛止具２４に係脱される。
【００２１】
上記施錠手段２５は、公知手段として知られたもので、その具体的な構成は、例えば、図１３に示すように、操作レバー２６と、この操作レバー２６を支持するブラケット２６Ａ及び支持ピン２６Ｂと、リンク機構Ｒｏと、中央下部Ｃの左右に付設した掛止具２４，２４からなる。しかして、上記施錠手段２５の操作レバー２６を、上下方向と反時計方へ破線位置から実線位置に旋回操作すると、施錠棒２０，２１が上下方向にスライドして、左右の観音扉１０，１１のロック（施錠）がアンロック（非施錠）となる。また、実線位置から破線位置に戻し旋回操作すると、アンロック（非施錠）からロック（施錠）される構成になっている。
【００２２】
上記左右の観音扉１０，１１は、以上のように構成され、その外側となる外壁面３０Ａ及び外壁板５は、施錠手段２５やヒンジ等の突出物が存在しない平滑面を形成している。本発明は、上記観音扉装置１００において、その枠組体３０と平滑な外壁面３０Ａとを巧みに利用し、更に、広告手段５０が簡潔に展張出来るように工夫されている。
【００２３】
続いて、広告手段５０が簡潔に展張できる構成を、図６〜図１２により説明する。上記左右の枠組体３０の内縁となる各垂直型材３２の上下部間の外側に引掛開口筒体３６を付設している。この引掛開口筒体３６は、各垂直型材３２の外側凹面３２Ｆに密着係合する係合板３６Ａと、この係合板３６Ａの一端側に設けた引掛開筒３６Ｂとからなり、この引掛開筒３６Ｂは、円形の内部空間Ｓ１とスリットＳ２とからなる。更に、上記左右の枠組体３０の外側となる各垂直型材３１の外縁全長及び水平角材３３の上縁全長及び水平型材３４の下縁全長に多段引掛片体３８を各々付設している。この多段引掛片体３８は、各垂直型材３１の外縁全長に設けた外側凹面３１Ｅと、水平型材３３の上縁全長に設けた外側凹面３３Ｅと、水平型材３４の下縁全長に設けた外側凹面３４Ｅとに、密着係合する各係合板３８Ａと、この各係合板３８Ａの表面に突出して並設した複数本の引掛片３８Ｂとからなる。
【００２４】
上記左右の枠組体３０における内側の垂直型材３２に付設した引掛開口筒体３６と、外側の垂直型角材３１と上下水平型材３３，３４とに付設した多段引掛片体３８との間に、平面状の広告手段「広告シート材５０Ａや広告板材等」５０が展張される。この広告シート材５０Ａは、図１２に示すように、左右対象に一対用意されている。その展張は、図８と図９に示すように、内側縁に付設した係止芯棒５１を上記引掛開口筒体３６の引掛開筒３６Ｂ内に挿入し、このスリットＳ２から引き出している。そして、上記広告シート材５０Ａにおける三面縁にはゴム帯５３を介して引掛体５５が付設されていて、各ゴム帯５３を外側の三方に引き伸ばした緊張状態で、各外側の垂直型材３１と上下水平型材３３，３４とに付設した多段引掛片体３８の一つの引掛片３８Ｂに掛け止めて展張させる構成になっている。
【００２５】
本発明の第１実施形態の観音扉装置１００は、上記のように構成されており、以下のように使用される。先ず、図１と図２と図５に示すように、各観音扉１０，１１の内部となる枠組体３０の内側に、空間Ｓｏが形成され、且つ、外壁板５と内壁板７との間によって閉塞されているから、この枠組体３０の内部が乾燥し易い。即ち、観音扉は、水が内部に侵入しても芯材としてベニヤ板を使用していないから、水が抜けてしまうし、通気性にも優れてこの内部空間が乾燥し易く、耐水性や耐久性に優れている。更に、観音扉１０，１１の表面全体が平坦面であり、ドアロック機構「施錠手段２５」も観音扉１０，１１から外れた荷物室３の低部に配置されているから、観音扉の美観にも優れている。
【００２６】
更に、上記観音扉１０，１１の平坦面な外壁板５への広告手段「広告シート材５０Ａや広告板材等」５０の貼り付けや外壁板５との僅かな隙間Ｓ３を空けての広告シートの展張が出来る。更に、外壁板５を取り外しての広告シート５０Ａだけの展張等が容易に行える。その広告手段５０となる広告シート５０Ａの展張方法を説明する。まず、図８と図９と図１２に示すように、広告シートにおいて、その内側縁に付設した係止芯棒５１を、枠組体３０の内縁の引掛開口筒体３６に挿入係止させ、広告シート５０Ａの外側縁及び上下縁に付設した引掛体５５を枠組体３０の外縁全長及び上縁全長・下縁全長に設けた多段引掛片体３８の一つに展張させた状態に係止させられる。これにより、広告シートが観音扉１０，１１の外側壁に突出することなく平滑に、簡潔且つ確実に展張させることができる。
【００２７】
本発明は上記第１実施形態の観音扉装置１００に限定されない。図１４に示す第２実施形態の観音扉装置２００としても良い。この実施形態は、左右の観音扉１０，１１を、三枚構成の観音扉１０，１１，１３としたものである。その概要構成を以下に説明する。荷物室３の後部３Ａにヒンジ１５，１７，１９で連結した外側の二枚の観音扉１０，１１の何れかに、図示では右側の観音扉１１の内縁に三枚目の観音扉１３の右縁をヒンジ７０で連結されている。この三枚目の観音扉１３の左縁１３Ａと、左側の観音扉１０の内縁１０Ａとの接合部Ｇに、施錠棒２０，２１が埋設された形態に連通されており、荷物室後部３Ａの開口枠３Ｂにおける中央下部Ｃの左寄りに設けた施錠手段２５で、荷物室３の中央上部Ｄ左寄りに設けた掛止具２７，２９に係脱される構成となっている。尚、観音扉１１にも施錠棒２１´と施錠手段２５が設けられている。
【００２８】
上記第２実施形態の観音扉装置２００によるときは、荷物室３の後部３Ａを全開口させたい場合は、三枚の観音扉１０，１１，１３を全開させる。また、荷物室内部の荷物を部分的に積み卸す場合は、中央の観音扉１３だけが開閉操作される。また、上記三枚の観音扉には、その三面の外壁面に広告手段５０が上記第１実施形態と同様の構成で、別個独立して取付けられている。従って、観音扉１０，１１，１３の開閉操作に支障を与えない。しかも、観音扉の閉口時は、三枚の観音扉が平坦な平滑面になり、その表面に展張されている三枚の広告シート等が１つに繋がって、大きな１つの広告メッセージとして表示される。
【００２９】
また、図１５に示す第３実施形態の観音扉装置３００としても良い。この実施形態は、上記各観音扉装置１００，２００において、左右の枠組体３０の内壁面に張られているアルミ板等の内壁板７に替えて、アルミ型板６０を配置させた構成としたものである。このアルミ型板６０は、内面体６１及び外面板６３と、これらの空間内壁を架絡する多数のリブ６５とからなる。そして、枠組体３０の内壁面の全面を張るように、所定寸法長さのユニットとし、必要個数だけその連結部６７を直列に連結させて壁面を形成している。尚、左右の枠組体３０の外壁面には、外壁板５が必要に応じて適宜に貼着されている。また、枠組体３０の低部には、排水用の孔Ｈが複数個あけられている。
【００３０】
上記第３実施形態の観音扉装置３００によると、観音扉１０，１１には、その枠組体３０の内壁面にアルミ型板６０を配置したから、観音扉１０，１１の強度アップと防水性・耐久性・排水性の向上、軽量化等が図られる。
【００３１】
本発明は上記各実施形態に限定されない。例えば、観音扉装置としては２枚構成、３枚構成のものを例示したが、更に多数枚構成（例えば４枚構成）としても良いし、複数の扉のうち一部が開閉される構成（例えば２枚扉の一方が片開きする構成）としても良い。また、上記各観音扉装置１００，２００において、観音扉を構成する左右枠組体３０は、その材質と構造について、アルミ製等の軽量型材に限定されない。やや重量が重くなるを覚悟にすれば、鉄製の型材を使用した枠組体３０としても良い。この材質変更によっても、同様な作用・効果が発揮される。また、内壁板７や外壁板５の材質についても、耐水性・防水性のある各種材質の素材が適用できる。更に、枠組体３０において、少なくとも内壁板７だけを張設すれば良く、必要に応じて内壁板７と外壁板５との二層構成としたり、内壁板７と広告シート５０Ａとの二層構成としたり、内壁板７と外壁板５と広告シート５０Ａとの三層構成とすることができる。
【００３２】
また、固定ヒンジ１９と可動ヒンジ１５，１７とのヒンジ構成、施錠手段２５の構成、広告手段５０も、シート構成・薄板構成等の各種の形態が適用できる。また、広告手段５０を観音扉１０，１１に展張する掛止手段も各種の構造・形態のものが適用できる。例えば、図１６に示すように、係止芯棒５１と引掛体５５との取付け位置のように、変更しても良い。更に、一つの係止芯棒５１と三つの引掛体５５との取付け位置関係は、四辺において任意な自由位置に変更が可能である。当然に、上記係止芯棒５１と、引掛体５５との取付け位置に関連して、枠組体３０に取付けられる引掛開口筒体３６と多段引掛片体３８との取付け位置も変更される。
【００３３】
【発明の効果】
以上詳述したように、本発明の請求項１の観音扉装置によると、各観音扉の内部となる枠組体の内側には、外壁板と内壁板との間に空間が形成されているから、この内部が乾燥し易い。また、従来扉のように、芯材としてベニヤ板を使用していないから、耐水性や耐久性に優れている。そして、観音扉の表面全体が平坦面であり、施錠手段も扉から外れた荷物室の低部に配置されているから、観音扉の美観にも優れている。また、上記観音扉の平坦面への広告手段の張付けや広告シートの展張も容易に行える。
【００３４】
請求項２によると、観音扉は、その枠組体の内壁面にアルミ型板を配置したから、扉の強度アップと防水性・耐久性・排水性の向上、軽量化が図られる。
【００３５】
請求項３によると、広告手段となる広告シートの一辺に付設した係止芯棒を、枠組体の一辺に付設した引掛開口筒体に挿入係止させ、広告シートの他の三辺に付設した係止片を、枠組体の他の三辺に設けた多段引掛片体の一つに展張させた状態に係止させられるから、広告シートが観音扉の外側に突出させることなく、平面状態のもとに、簡潔且つ確実に展張させることができる。
【図面の簡単な説明】
【図１】本発明の第１実施形態を示し、トラック後部の観音扉装置の斜視図である。
【図２】本発明の第１実施形態を示し、トラック後部の観音扉装置の正面図である。
【図３】本発明の第１実施形態を示し、トラック後部の観音扉装置の平面図である。
【図４】本発明の第１実施形態を示し、観音扉装置の部分図である。
【図５】本発明の第１実施形態を示し、観音扉装置の部分図である。
【図６】本発明の第１実施形態を示し、左側観音扉の斜視図である。
【図７】本発明の第１実施形態を示し、右側観音扉の斜視図である。
【図８】本発明の第１実施形態を示し、左側観音扉の断面図である。
【図９】本発明の第１実施形態を示し、右側観音扉の断面図である。
【図１０】本発明の第１実施形態を示し、枠組体の上部断面図である。
【図１１】本発明の第１実施形態を示し、枠組体の下部断面図である。
【図１２】本発明の第１実施形態を示し、広告手段の斜視図である。
【図１３】本発明の第１実施形態を示し、施錠手段の正面図と平面図である。
【図１４】本発明の第２実施形態を示し、三枚観音扉装置の正面図である。
【図１５】本発明の第３実施形態を示し、アルミ型体を使用した観音扉の断面図である。
【図１６】広告手段の変形実施例を示す斜視図である。
【符号の説明】
１                トラック
１Ａ              荷台
３                荷物室
３Ａ              後部
３Ｂ              後部開口枠
３Ｃ，３Ｄ        左右縁
Ａ                上部
Ｂ                下部
Ｃ                中央下部
Ｄ                中央上部
５                外壁板
７                内壁板
１０，１１，１３    観音扉
１５，１７        可動ヒンジ
１９              固定ヒンジ
２０，２１        施錠棒
２５              施錠手段
２６              操作レバー
２６Ａ            ブラケット
２６Ｂ            支持ピン
２７，２９        掛止具
３０              枠組体
３０Ａ            外壁面
３０Ｂ            内壁面
３１，３２        垂直型材
３１Ａ            可動ヒンジ
３２Ａ            軸受孔
３２Ｂ            前部材
３２Ｃ            後部材
３２Ｄ，３２Ｅ    半円凹部
３３Ｅ            外側凹面
３３，３４        水平型材
３４Ｅ            外側凹面
３６              引掛開口筒体
３６Ａ            係合板
３６Ｂ            引掛開筒
３８              多段引掛片体
３８Ａ            係合板
３８Ｂ            引掛片
５０              広告手段
５０Ａ            広告シート
５３              ゴム帯
５５              引掛体
ＢＴ              ボルト
Ｐ                支持ピン
Ｓ                内部空間
Ｓ１              内部空間
Ｓ２              スリット
Ｒ                リブ
６０              アルミ型板
６１              内面体
６３              外面板
６５              リブ
６７              結部
１００，２００，３００  観音扉装置
【図１】
2004203301.tif 000003
【図２】
2004203301.tif 000004
【図３】
2004203301.tif 000005
【図４】
2004203301.tif 000006
【図５】
2004203301.tif 000007
【図６】
2004203301.tif 000008
【図７】
2004203301.tif 000009
【図８】
2004203301.tif 000010
【図９】
2004203301.tif 000011
【図１０】
2004203301.tif 000012
【図１１】
2004203301.tif 000013
【図１２】
2004203301.tif 000014
【図１３】
2004203301.tif 000015
【図１４】
2004203301.tif 000016
【図１５】
2004203301.tif 000017
【図１６】
2004203301.tif 000018
【手続補正書】
【提出日】平成15年1月7日(2003.1.7)
【手続補正１】
【補正対象書類名】図面
【補正対象項目名】全図
【補正方法】変更
【補正の内容】
【図１】
2004203301.tif 000019
【図２】
2004203301.tif 000020
【図３】
2004203301.tif 000021
【図４】
2004203301.tif 000022
【図５】
2004203301.tif 000023
【図６】
2004203301.tif 000024
【図７】
2004203301.tif 000025
【図８】
2004203301.tif 000026
【図９】
2004203301.tif 000027
【図１０】
2004203301.tif 000028
【図１１】
2004203301.tif 000029
【図１２】
2004203301.tif 000030
【図１３】
2004203301.tif 000031
【図１４】
2004203301.tif 000032
【図１５】
2004203301.tif 000033
【図１６】
2004203301.tif 000034